(57)【特許請求の範囲】
【請求項１】
遺体を納めて安置する棺本体と、
前記棺本体の表面に設けられる可燃性の装飾造形物と、を備え、
前記装飾造形物は、前記棺本体に対して該棺本体の外形線より大きくなる拡張状態と、該棺本体の外形線と同じまたは該外形線より小さな火葬が可能なサイズに収縮させる格納状態と、の間で可動し得るように構成されており、前記装飾造形物の少なくとも一部は、可燃性の単一の固定ピンによって軸支され、該固定ピンを中心に回転可能な状態で取り付けられる複数枚の装飾造形片によって構成されていることを特徴とする装飾棺。
【請求項２】
前記棺本体には、長穴状の１本のスリットまたは複数本のスリットを交差させた交差スリットが形成されており、前記装飾造形物の少なくとも一部は、前記１本のスリットまたは交差スリットの伸長長さの範囲で取付け位置を調整し得るように構成されていることを特徴とする請求項１記載の装飾棺。
【請求項３】
前記装飾造形物を拡張状態で使用した場合には、当該装飾棺を祭壇の一部または祭壇自体として使用するようにしたことを特徴とする請求項１または２記載の装飾棺。
【発明の詳細な説明】
【技術分野】
【０００１】
本発明は遺体を納めて安置するのに使用される遺体収容機能を備えた棺に係り、特に、祭壇等に施されている装飾造形物としての機能を付加した装飾棺に関する。
【背景技術】
【０００２】
従来から下記の特許文献１〜３に示すように棺の表面を別珍などの高級な布で被覆したり、棺の表面に漆を塗り、蒔絵等の彩色を施したもの、あるいは適宜の模様を浮彫状に表現したものや棺の表面に凹部を形成し、該凹部に飾り板を嵌め込んだもの等、棺の表面に装飾を施した種々の装飾棺が提案されている。
しかし、これらの装飾はいずれも高価であり、一部の高級な棺に適用されているだけで広く普及するには至っていない。
【０００３】
また、上記浮彫状の立体模様を熱可塑性樹脂等を使用して成形した装飾棺も下記の特許文献４に示すように提案されている。そして、このようにして成形される立体模様は、前記特許文献１〜３に示す装飾棺に比べれば安価に成形できるが、棺の表面の一部に立体模様を配置するだけのサイズの小さな装飾に留まり、当該棺の外形を大きく超えるようなサイズの大きな装飾とはなっていない。
一方、棺は故人とともに火葬に付されるため、可燃性の材料によって形成され、火葬炉に入れることができる所定のサイズ以内に収めることが求められている。
【先行技術文献】
【特許文献】
【０００４】
【特許文献１】実用新案登録第３０８０２２６号公報
【特許文献２】実開昭５２−９７２９９号公報
【特許文献３】実開昭５３−１０７９８号公報
【特許文献４】実開昭５４−１４３７９９号公報
【発明の概要】
【発明が解決しようとする課題】
【０００５】
更に、近年高額な葬儀費用を必要とする現在の葬儀形態が見直されている。また、棺についても単に焼却されてしまうものであるから簡素なもので良いという考え方から、故人とともに最後まで一緒である棺を大切にしなくてはいけないという考え方も広まってきている。
そこで、上記高額な葬儀費用の一因になっている祭壇の構成を見直すとともに、棺に求められている上記制約の範囲内で棺に施す装飾を棺の外形線を超える領域まで拡大することができる従来にない装飾棺が求められるようになってきている。
【０００６】
本発明はこのような点に基づいてなされたものでその目的とするところは、棺の有する遺体収容箱としての機能の枠を超えて、棺に対して祭壇等に施されている装飾造形物としての機能を付加した装飾性に優れ、安価かつ機能的な新しい装飾棺を提供することにある。
【課題を解決するための手段】
【０００７】
上記目的を達成するべく本発明の請求項１による装飾棺は、遺体を納めて安置する棺本体と、前記棺本体の表面に設けられる可燃性の装飾造形物と、を備え、前記装飾造形物は、前記棺本体に対して該棺本体の外形線より大きくなる拡張状態と、該棺本体の外形線と同じまたは該外形線より小さな火葬が可能なサイズに収縮させる格納状態と、の間で可動し得るように構成されており、前記装飾造形物の少なくとも一部は、可燃性の単一の固定ピンによって軸支され、該固定ピンを中心に回転可能な状態で取り付けられる複数枚の装飾造形片によって構成されていることを特徴とするものである。
【０００９】
また、請求項２による装飾棺は、請求項１記載の装飾棺において、前記棺本体には、長穴状の１本のスリットまたは複数本のスリットを交差させた交差スリットが形成されており、前記装飾造形物の少なくとも一部は、前記１本のスリットまたは交差スリットの伸長長さの範囲で取付け位置を調整し得るように構成されていることを特徴とするものである。
【００１０】
また、請求項３による装飾棺は、請求項１または２記載の装飾棺において、前記装飾造形物を拡張状態で使用した場合には、当該装飾棺を祭壇の一部または祭壇自体として使用するようにしたことを特徴とするものである。
【００１１】
そして、上記手段によって以下のような作用が得られる。まず、従来存在しなかった可動式の装飾造形物を設けることによって、従来の装飾棺の有していた装飾の概念を拡大し、より広範囲の装飾を装飾棺に施すことが可能になる。
【００１２】
また、前記装飾造形物を拡張状態にした時には、棺本体の外形線より大きな従来の装飾棺には存在し得なかったサイズの装飾を棺本体に施すことが可能になる一方、前記装飾造形物を格納状態にした時には、火葬が可能なコンパクトなサイズになり、また前記装飾造形物は可燃性であるので通常の棺と同様に火葬炉にそのまま入れることが可能になる。
【００１３】
また、前記装飾造形物の少なくとも一部が可燃性の単一の固定ピンによって軸支された回転可能な複数枚の装飾造形片によって構成されている場合には、当該複数枚の装飾造形片を前記固定ピンを中心にして扇のように広げることによって広い装飾面を有する華やかな装飾造形物が形成されるようになる。
一方、前記複数枚の装飾造形片を重ね合わせて格納状態にすれば、棺本体の外形線に納まるコンパクトな状態に折り畳むことが可能になる。
【００１４】
また、前記棺本体に１本のスリットまたは交差スリットを形成してこれらのスリットの伸長長さの範囲で装飾造形物の少なくとも一部の取付け位置を調整し得るように構成した場合には、前記装飾造形物は前述した固定ピンを中心とした回転方向の動きに加えて、前記スリットの伸長方向に沿ったスライド方向の移動が可能になる。
【００１５】
従って、装飾造形物の可動範囲と可動方向が広がって、装飾造形物の拡張状態での装飾形態が一層多様化する。
【００１６】
また、前記装飾造形物を拡張状態にすることで、当該装飾棺を祭壇の一部または祭壇自体として使用した場合には、祭壇に施す装飾造形物を簡略化したり、祭壇自体を省略することで、より安価でコンパクトな葬儀関連の設備ないし用具が提供できるようになる。
【発明の効果】
【００１７】
本発明の装飾棺によると、棺が本来有する遺体収容箱としての機能に加えて、当該棺に祭壇等に施される装飾造形物としての機能を付加することが可能になる。
また、祭壇等に使用された後は、そのまま火葬炉に入れて焼却することができるから、装飾造形物や故人が好きだったものや遺影等を故人とともに大切に送るという考え方に沿った火葬ができ、葬儀終了後の祭壇等の後片付けも不要になる。
従って、装飾性に優れ、安価かつ機能的な従来にない新しいタイプの装飾棺が提供できるようになる。
【図面の簡単な説明】
【００１８】
【図１】本発明の実施の形態を示す図で、装飾造形物を拡張状態にした時の装飾棺の分解斜視図である。
【図２】本発明の実施の形態を示す図で、装飾造形物を拡張状態にした時の装飾棺の正面図である。
【図３】本発明の実施の形態を示す図で、装飾造形物を拡張状態にした時の装飾棺の背面図である。
【図４】本発明の実施の形態を示す図で、装飾造形物を拡張状態にした時の装飾棺の平面図である。
【図５】本発明の実施の形態を示す図で、装飾造形物を拡張状態にした時の図２中のＡ−Ａ線における断面図である。
【図６】本発明の実施の形態を示す図で、装飾造形物を拡張状態にした時の図４中のＢ−Ｂ線における断面図である。
【図７】本発明の実施の形態を示す図で、装飾造形物を格納状態にした時の装飾棺の正面図である。
【図８】本発明の実施の形態を示す図で、装飾造形物を取り外した状態の棺本体の正面図である。
【発明を実施するための形態】
【００１９】
以下、図１〜８を参照して本発明を実施するための形態を説明する。
本発明の装飾棺１は、遺体を納めて安置する棺本体３と、該棺本体３の表面に設けられる可燃性の装飾造形物５と、を備えることによって構成されている。
そして、本発明の特徴的構成として、前記装飾造形物５は、前記棺本体３に対して該棺本体３の外形線より大きくなる拡張状態と、該棺本体３の外形線と同じまたは該外形線より小さな火葬が可能なサイズに収縮させる格納状態と、の間で可動し得るように構成されている。
【００２０】
棺本体３は、上面が開放された角箱状の部材で、一例として板厚が１．８ｃｍ〜２．４ｃｍの板材を角箱状に組み立てることによって構成されている。棺本体３の外形寸法は、一例として幅と高さが約６０ｃｍ、長さが約２ｍであり、棺本体３の内壁面には、開放された棺本体３の上面を塞ぐ蓋体７の下縁部の一部に当接して該蓋体７を支持する段差部９が設けられている。
【００２１】
また、棺本体３の底面を除く表面には、一例として千代紙や着物地等の図柄として使用される和風の地模様が付された化粧材１１が貼着されている。
また、棺本体３の一例として前面板１３と後面板１５には、一例として中央に上下方向に延びる長穴状の１本のスリット１７が形成されており、該１本のスリット１７の左右には、一例として２本のスリットを十字状に交差させた交差スリット１９、１９が形成されている。
【００２２】
尚、上記１本のスリット１７と交差スリット１９には、一例として可燃性の木製ネジによって形成されている固定ピン２１の軸部２３が係合するように構成されており、該固定ピン２１の軸部２３の係合位置を替えることによって前記１本のスリット１７と交差スリット１９の伸長長さの範囲で前記装飾造形物５の取付け位置を調整し得るように構成されている。
そして、上記固定ピン２１の軸部２３は、次に述べる装飾造形物５の取付け穴２５と前記２種類のスリット１７、１９を貫通し、その端部に取り付けられる固定ナット２７によってネジ締結されて、前記装飾造形物５を適宜の位置に取り付けることができるように構成されている。
【００２３】
装飾造形物５は、本実施の形態では、第１装飾造形物５Ａと、第２装飾造形物５Ｂと、第３装飾造形物５Ｃと、の３種類が設けられている。
このうち第１装飾造形物５Ａは、前述した単一の固定ピン２１によって軸支され、該固定ピン２１を中心に回転可能な状態で取り付けられる複数枚の装飾造形片２９によって構成されている。
【００２４】
具体的には、前記複数枚の装飾造形片２９は、前面板１３と後面板１５のそれぞれの左右に配置された交差スリット１９に対して、前記固定ピン２１を使用して回転可能及び上下左右にスライド可能に取り付けられている。このうち前面板１３には、一例として蝶の羽を模したデザインの平板状の装飾造形片２９が４枚ずつ左右に２組設けられている。一方、後面板１５には、一例として孔雀の尾羽を模したデザインの平板状の装飾造形片２９が３枚ずつ左右に２組設けられている。
【００２５】
また、前面板１３に対して取り付けられる前記４枚の装飾造形片２９の最前面には、一例として御所車の車輪を模したデザインの円板状の他の装飾造形片３１が前記４枚の装飾造形片２９とともに前記単一の固定ピン２１によって回転可能な状態で支持され、前記固定ナット２７によって所望の回転位置で取り付けられている。
【００２６】
第２装飾造形物５Ｂは、前記前面板１３と後面板１５の中央に形成されている上下方向に延びている１本のスリット１７を利用して取り付けられる装飾造形物５である。
第２装飾造形物５Ｂは、山形、円形、長方形等、適宜の形状に切り抜かれた単一の平板状の装飾造形片３３によって形成されており、その表面には、山や神社仏閣の風景等、故人が好きだったものを写した写真や図柄等が付されている。
【００２７】
図示の実施の形態では、前面板１３に対して一例として御所車の車輪を模したデザインの円板状の他の装飾造形片３１と、富士山の写真を付した山形の装飾造形片３３とが、前記固定ピン２１によって回転可能及び上下にスライド可能な状態で設けられている。
【００２８】
第３装飾造形物５Ｃは、前記１本のスリット１７を利用して取り付けられる装飾造形物５である。図示の実施の形態では、前面板１３に対して一例として御所車の車輪を模したデザインの円板状の他の装飾造形片３１の前面に遺影３５を嵌め込んだ額様の装飾造形片３７が、前記固定ピン２１によって回転可能及び上下にスライド可能な状態で設けられている。尚、第３装飾造形物５Ｃは、故人の遺影３５を象った装飾造形片３７とすることもできる。
【００２９】
尚、前述した第１装飾造形物５Ａと、第２装飾造形物５Ｂと、第３装飾造形物５Ｃは、すべて可燃性の材料によって形成されており、一例としてベニヤ合板等の木材、段ボール等の紙材、可燃性プラスチックあるいは発泡スチロール等を芯材とし、その表面に装飾や図柄、写真等を施したものが使用可能である。
また、遺影３５等に使用する写真は、紙材の他、フィルム材でもよいし、紙材の表面をフィルム材によってラミネート加工したものであってもよい。
【００３０】
そして、このような装飾造形物５を格納状態にした図７に示す状態の装飾棺１は、前述した棺本体３の大きさよりも装飾造形物５の厚さ分、僅かに大きくなっただけで、火葬炉の収容限度サイズである幅と高さが７０ｃｍ、長さが２１０ｃｍの収容スペースに十分、収容し得る大きさになっている。
この他、蓋体７の上面にも適宜の装飾を施すことが可能であり、一例として図４に示すような花束３９、リボン４１及び前述した円板状の他の装飾造形片３１等を配置することが可能である。
【００３１】
次に、このようにして構成される本実施の形態による装飾棺１の作動態様を（１）装飾造形物を拡張状態にする場合と、（２）格納状態にする場合とに分けて説明する。
（１）装飾造形物を拡張状態にする場合（図１〜６参照）
装飾棺１を葬儀場や自宅において安置する場合には、装飾造形物５を拡張状態にして使用する。
【００３２】
第１装飾造形物５Ａを拡張状態にする場合には、固定ナット２７を緩めて、装飾造形片２９を外方に向けて扇状に広げて行き、他の装飾造形片３１の回転位置を調整して、再び固定ナット２７を締め付けて固定する。
また、第１装飾造形物５Ａ全体の位置を移動させたい場合には、固定ナット２７を緩めて固定ピン２１を移動できる状態にし、固定ピン２１を交差スリット１９の伸長方向である上下方向ないし左右方向に所定量移動させて好みの位置で固定ナット２７を締め付けて固定する。
【００３３】
第２装飾造形物５Ｂを拡張状態にする場合には、固定ナット２７を緩めて、装飾造形片３３を上方に掲げて立設姿勢にし、再び固定ナット２７を締め付けて固定する。図示の実施の形態では、前面板１３に対して一例として御所車の車輪を模したデザインの円板状の他の装飾造形片３１と、富士山と桜の写真を付した山形の装飾造形片３３とが掲げられ、また、後面板１５に対して一例として御所車の車輪を模したデザインの円板状の他の装飾造形片３１と、富士山と神社仏閣の写真を付した山形の装飾造形片３３とが掲げられる。これにより、山や桜や神社仏閣の風景等、故人が好きだったものを写した写真や図柄等が掲げられることとなり、個人を偲ぶことができる。
また、第２装飾造形物５Ｂ全体の位置を移動させたい場合には、固定ナット２７を緩めて固定ピン２１を移動できる状態にし、固定ピン２１を１本のスリット１７の伸長方向である上下方向に所定量移動させて好みの位置で固定ナット２７を締め付けて固定することもできる。
【００３４】
第３装飾造形物５Ｃを拡張状態にする場合には、固定ナット２７を緩めて、遺影３５を嵌め込んだ額様の装飾造形片３７を上方に起こして立設姿勢にし、再び固定ナット２７を締め付けて固定する。これにより、故人を収納した棺の真近に遺影を掲げることができる。
また、第３装飾造形物５Ｃ全体の位置を移動させたい場合には、固定ナット２７を緩めて固定ピン２１を移動できる状態にし、固定ピン２１を１本のスリット１７の伸長方向である上下方向に所定量移動させて好みの位置で固定ナット２７を締め付けて固定することもできる。
【００３５】
（２）装飾造形物を格納状態にする場合（図７参照）
装飾棺１を火葬炉に入れる場合には、装飾造形物５を格納状態にする。
第１装飾造形物５Ａを格納状態にする場合には、前述した拡張状態にする場合と逆の手順で、固定ナット２７を緩めて、装飾造形片２９を内方に折り畳んで行き、棺本体３の外形線に納まる重ね合わされた状態にする。また、第１装飾造形物５Ａ全体の位置が棺本体３の上方や外方に飛び出している場合には、固定ピン２１の位置を交差スリット１９に沿わせて下方ないし内側に移動させて棺本体３の外形線に納まるようにして前記固定ナット２７を締め付けて再固定する。
【００３６】
第２装飾造形物５Ｂを格納状態にする場合には、前述した拡張状態にする場合と逆の手順で、固定ナット２７を緩めて、装飾造形片３３を下方に倒して棺本体３の外形線に納まるように回転させる。また、第２装飾造形物５Ｂ全体の位置が棺本体３の上方に飛び出している場合には、固定ピン２１の位置を１本のスリット１７に沿わせて下方に移動させ、棺本体３の外形線に納まるようにして前記固定ナット２７を締め付けて再固定することもできる。
【００３７】
第３装飾造形物５Ｃを格納状態にする場合にも、前述した拡張状態にする場合と逆の手順で、固定ナット２７を緩めて、装飾造形片３７を下方に倒して棺本体３の外形線に納まるように回転させる。また、第３装飾造形物５Ｃ全体の位置が棺本体３の上方に飛び出している場合には、固定ピン２１の位置を１本のスリット１７に沿わせて下方に移動させ、棺本体３の外形線に納まるようにして前記固定ナット２７を締め付けて再固定することもできる。
【００３８】
以上、本実施の形態によると、次のような効果を奏することができる。
まず、本実施の形態による装飾棺１によると、装飾棺１が本来有する遺体収容箱としての機能に加えて、当該装飾棺１に対して祭壇等に施される装飾造形物としての機能を付加することが可能になる。また、故人の好きだったものを表示することができ、且つ、それらを棺とともに火葬に付することができる。
また、祭壇等に使用された後は、そのまま火葬炉に入れて焼却することができるから、葬儀等が終了した後の祭壇等の後片付けが容易になる。
【００３９】
尚、本発明の装飾棺１は、前述した実施の形態のものに限らず、その発明の要旨内での設計変更が可能である。例えば、装飾造形物５は棺本体３の前面板１３と後面板１５に限らず、左右の側面板や、棺本体３の下部に台座や脚部を備えるタイプであれば底面板に対しても設けることが可能である。
また、スリット１７、１９の形状は、前記実施の形態のように直線的な形状に限らず、湾曲した形状であってもよいし、スリット１７、１９の伸長方向が傾斜した形状のものであっても構わない。
【００４０】
また、上記スリット１７、１９に代えて複数の穴部を設け、使用する穴部を替えることによって装飾造形物５を移動できるように構成することが可能である。また、固定ピン２１は、軸部２３に雄ネジ部が刻設されているネジ様の固定ピン２１に限らず、圧入して取り付けるタイプや軸部２３の端部をかしめて取り付けるリベット様の固定ピン２１であってもよい。
この他、棺本体３の表面に貼り付ける化粧材１１や装飾造形物５に施される図柄は、前記実施の形態のものに限らず、鳥の羽根やクリスタルやガラスのように透明感を抱かせる種々の図柄や模様が採用可能である。また、その形態も任意であり、１枚の平板状のものでも良いし、折り畳み式や展開式のものを採用してもよい。
また、前記装飾造形物の少なくとも一部は、前記棺本体の表面と他の装飾造形物との間に形成される隙間または、重合状態で設けられている前記装飾造形片間に形成される隙間に挿し込まれることによって取り付けられている構成を付加的に採用することも可能である。
【産業上の利用可能性】
【００４１】
本発明の装飾棺は、遺体を納めて安置する棺や祭壇等の葬儀関連の設備や用具の製造、使用分野等で利用でき、特に装飾性に優れ、安価かつ機能的な従来にない新しいタイプの装飾棺を提供したい場合に利用可能性を有する。
【符号の説明】
【００４２】
１  装飾棺
３  棺本体
５  装飾造形物
７  蓋体
９  段差部
１１  化粧材
１３  前面板
１５  後面板
１７  １本のスリット
１９  交差スリット
２１  固定ピン
２３  軸部
２５  取付け穴
２７  固定ナット
２９  装飾造形片
３１  他の装飾造形片
３３  装飾造形片
３５  遺影
３７  装飾造形片
３９  花束
４１  リボン
【図１】
0005529068.tif 000002
【図２】
0005529068.tif 000003
【図３】
0005529068.tif 000004
【図４】
0005529068.tif 000005
【図５】
0005529068.tif 000006
【図６】
0005529068.tif 000007
【図７】
0005529068.tif 000008
【図８】
0005529068.tif 000009